(57)【要約】開閉が容易で小型な蓋を備えた電気機器の提供するため、ポータブルラジオ１は、外部電源に接続可能なアダプタ８を収容可能なアダプタ収容部９と、バッテリ６を収容可能であってアダプタ収容部９とは異なる位置に設けられたバッテリ収容部７と、を有する本体部２Ａと、アダプタ収容部９及びバッテリ収容部７を開閉可能な蓋部２Ｂと、を有するハウジング２と、本体部２Ａに設けられ、アダプタ８を接続可能なアダプタ接続部２１と、バッテリ６をバッテリ収容部７に収容することにより、又はアダプタ８を外部電源及びアダプタ接続部２１に接続することにより稼働するスピーカー２３と、を備えている。
2016067807.tif 000002
【特許請求の範囲】
【請求項１】
外部電源に接続可能なアダプタを収容可能なアダプタ収容部と、バッテリを収容可能であって前記アダプタ収容部とは異なる位置に設けられたバッテリ収容部と、を有する本体部と、前記アダプタ収容部及び前記バッテリ収容部を開閉可能な蓋部と、を有するハウジングと、
前記ハウジングに設けられ、前記アダプタを接続可能なアダプタ接続部と、
前記バッテリを前記バッテリ収容部に収容することにより、又は前記アダプタを前記外部電源及び前記アダプタ接続部に接続することにより稼働する出力部と、
を備えることを特徴とする電気機器。
【請求項２】
前記アダプタ収容部と前記バッテリ収容部とは、並列配置されていることを特徴とする請求項１に記載の電気機器。
【請求項３】
前記アダプタ収容部と前記バッテリ収容部とは、上下に配置されていることを特徴とする請求項１に記載の電気機器。
【請求項４】
前記バッテリ収容部は、前記アダプタ収容部よりも上方に位置していることを特徴とする請求項３に記載の電気機器。
【請求項５】
前記バッテリ収容部に収容されたバッテリは、バッテリ着脱経路に沿って着脱され、前記アダプタ収容部は、前記バッテリ着脱経路と干渉しない位置に設けられていることを特徴とする請求項１または４のいずれか１項に記載の電気機器。
【請求項６】
前記アダプタ収容部に収容されたアダプタは、アダプタ着脱経路に沿って着脱され、前記バッテリ収容部は、前記アダプタ着脱経路と干渉しない位置に設けられていることを特徴とする請求項１または５のいずれか１項に記載の電気機器。
【請求項７】
前記アダプタ収容部は、複数の種類の前記アダプタを収容可能であることを特徴とする請求項１から６のいずれか１項に記載の電気機器。
【請求項８】
外部電源に接続可能であってアダプタ着脱方向に沿って着脱されるアダプタを収容可能なアダプタ収容部を有するハウジングと、
前記アダプタ収容部を開閉可能な蓋部と、
前記アダプタを前記外部電源に接続することにより稼働する出力部と、を備え、
前記アダプタ着脱方向は、前記蓋部が閉じている時の前記蓋部に対して、斜めに傾いていることを特徴とする電気機器。
【請求項９】
外部電源に接続可能であってアダプタ着脱方向に沿って着脱されるアダプタを収容可能なアダプタ収容部を有するハウジングと、
前記アダプタ収容部を開閉可能な蓋部と、
前記アダプタを前記外部電源に接続することにより稼働する出力部と、を備えた電気機器であって、
前記電気機器を地面に載置した状態で、前記アダプタ着脱方向は、前記地面に対して斜めに傾いていることを特徴とする電気機器。
【請求項１０】
前記アダプタ収容部は、前記アダプタの側面に当接し、前記アダプタの移動を規制する規制リブを備え、前記側面は、前記蓋部の内面から最も離間した面であることを特徴とする請求項８又は９に記載の電気機器。
【請求項１１】
前記アダプタ収容部は、前記アダプタ着脱方向に延び前記アダプタの着脱を案内する規制リブを備えることを特徴とする請求項８又は９に記載の電気機器。
【請求項１２】
バッテリ着脱方向に沿って着脱されるバッテリを収容可能なバッテリ収容部を有するハウジングと、
前記バッテリ収容部を開閉可能な蓋部と、
前記バッテリを前記バッテリ収容部に収容することにより稼働する出力部と、を備え、
前記バッテリ着脱方向は、前記蓋部が閉じている時の前記蓋部に対して、斜めに傾いていることを特徴とする電気機器。
【請求項１３】
バッテリ着脱方向に沿って着脱されるバッテリを収容可能なバッテリ収容部を有するハウジングと、
前記バッテリ収容部を開閉可能な蓋部と、
前記バッテリを前記バッテリ収容部に収容することにより稼働する出力部と、を備えた電気機器であって、
前記電気機器を地面に載置した状態で、前記バッテリ着脱方向は、前記地面に対して斜めに傾いていることを特徴とする電気機器。
【発明の詳細な説明】
【技術分野】
【０００１】
本発明は、電気機器に関し、特にアダプタ及びバッテリで駆動する電気機器に関する。
【背景技術】
【０００２】
図７及び図８に示すように、従来のポータブルラジオ１０１は、ハウジングの本体部１０２Ａと、本体部１０２Ａに対して開閉可能な蓋部１０２Ｂとを備えている。蓋部１０２Ｂの先端部には、アダプタ４０８を収納可能なバッテリ収納部１０９が設けられていて、アダプタ４０８は固定バンド１０５によってバッテリ収納部１０９に固定されている。ポータブルラジオ１０１は、バッテリ又はアダプタ４０８によって稼働する（特許文献１）
【先行技術文献】
【特許文献】
【０００３】
【特許文献１】特開２０１０−２０６２４２号公報
【発明の概要】
【発明が解決しようとする課題】
【０００４】
上述のポータブルラジオ１０１では、アダプタ４０８が本体部１０２Ａを開閉する蓋部１０２Ｂに設けられているため、蓋部１０２Ｂを本体部１０２Ａに対して開閉する際の作業性が悪かった。特に、従来のポータブルラジオ１０１ではバッテリ収納部１０９は蓋部１０２Ｂの先端部に設けられていたため、開閉時に蓋部１０２Ｂにアダプタ４０８の重量が加わって開閉しづらいという問題があった。また、アダプタ４０８が固定バンド１０５から外れて落下した場合は、他の部品が破損する虞があった。【０００５】
さらに、特許文献１に記載のポータブルラジオでは、バッテリを上下方向に着脱させていたため、ポータブルラジオの上面及び側面を開放する必要があった。同様に、アダプタ４０８を蓋部１０３に対して直交する方向に着脱させていたため、ポータブルラジオの上面及び側面を開放する必要があった。これにより、蓋部１０２Ｂが大型化し、蓋部１０２Ｂの開閉作業が煩わしくなっていた。【０００６】
そこで、本発明は、開閉が容易で小型な蓋を備えた電気機器を提供することを目的とする。
【課題を解決するための手段】
【０００７】
上記課題を解決するために本発明は、外部電源に接続可能なアダプタを収容可能なアダプタ収容部と、バッテリを収容可能であって前記アダプタ収容部とは異なる位置に設けられたバッテリ収容部と、を有する本体部と、前記アダプタ収容部及び前記バッテリ収容部を開閉可能な蓋部と、を有するハウジングと、前記ハウジングに設けられ、前記アダプタを接続可能なアダプタ接続部と、前記バッテリを前記バッテリ収容部に収容することにより、又は前記アダプタを前記外部電源及び前記アダプタ接続部に接続することにより稼働する出力部と、を備えることを特徴とする電気機器を提供する。【０００８】
このような構成によると、アダプタ収容部が蓋部ではなく本体部に設けられているため、蓋部が軽量化され、容易に蓋部を開閉することができる。また、本体部は、アダプタ収容部と、アダプタ収容部とは異なる位置に設けられたバッテリ収容部とを有しているため、アダプタとバッテリとを同時にハウジングに収容することができる。これにより、バッテリで出力部を稼働しつつアダプタを収容できる。さらに、蓋部を閉じることにより、バッテリを本体部に収容した状態でアダプタを水や粉塵等から守ることができる。【０００９】
また、前記アダプタ収容部と前記バッテリ収容部とは、並列配置されていることが好ましい。【００１０】
このような構成によると、アダプタ収容部とバッテリ収容部とは並列配置されているため、バッテリ着脱にアダプタが干渉しない。また、アダプタ着脱にもバッテリが干渉しない。これにより、容易にバッテリ及びアダプタを着脱することができる。【００１１】
また、前記バッテリ収容部は、前記アダプタ収容部よりも上方に位置していることが好ましい。【００１２】
このような構成によると、バッテリ収容部はアダプタ収容部よりも上方に位置しているため、バッテリ着脱にアダプタが干渉しない。これにより、容易にバッテリをバッテリ収容部に着脱することができる。【００１３】
また、前記バッテリ収容部に収容されたバッテリは、バッテリ着脱経路に沿って着脱され、前記アダプタ収容部は、前記バッテリ着脱経路と干渉しない位置に設けられていることが好ましい。【００１４】
このような構成によると、アダプタ収容部はバッテリ着脱経路と干渉しない位置に設けられているため、バッテリ着脱時にアダプタと干渉しない。これにより、容易にバッテリをバッテリ収容部に着脱することができる。【００１５】
また、前記アダプタ収容部に収容されたアダプタは、アダプタ着脱経路に沿って着脱され、前記バッテリ収容部は、前記アダプタ着脱経路と干渉しない位置に設けられていることが好ましい。【００１６】
このような構成によると、バッテリ収容部はアダプタ着脱経路と干渉しない位置に設けられているため、アダプタ着脱時にバッテリと干渉しない。これにより、容易にアダプタをアダプタ収容部に着脱することができる。【００１７】
また、前記アダプタ収容部は、複数の種類の前記アダプタを収容可能であることが好ましい。【００１８】
このような構成によると、１つのアダプタ収容部で複数の種類のアダプタを収容することができる。【００１９】
本発明の別の観点によると、外部電源に接続可能であってアダプタ着脱方向に沿って着脱されるアダプタを収容可能なアダプタ収容部を有するハウジングと、前記アダプタ収容部を開閉可能な蓋部と、前記アダプタを前記外部電源に接続することにより稼働する出力部と、を備え、前記アダプタ着脱方向は、前記蓋部が閉じている時の前記蓋部に対して、斜めに傾いていることを特徴とする電気機器を提供している。【００２０】
このような構成によると、アダプタ着脱方向が蓋部に対して斜めに傾いているため、作業者は、容易にアダプタを着脱することができる。また、アダプタ着脱方向が蓋部に対して直交する場合と比較してハウジングの上面及び側面を開放する必要がないため、蓋部を小型化することができる。これにより、蓋部の開閉作業を容易にすることができる。【００２１】
本発明の別の観点によると、外部電源に接続可能であってアダプタ着脱方向に沿って着脱されるアダプタを収容可能なアダプタ収容部を有するハウジングと、前記アダプタ収容部を開閉可能な蓋部と、前記アダプタを前記外部電源に接続することにより稼働する出力部と、を備えた電気機器であって、前記電気機器を地面に載置した状態で、前記アダプタ着脱方向は、前記地面に対して斜めに傾いていること特徴とする電気機器を提供している。【００２２】
このような構成によると、アダプタ着脱方向が地面に対して斜めに傾いているため、作業者は、電気機器を地面に載置した状態で容易にアダプタを着脱することができる。また、アダプタ着脱方向が地面に対して直交する場合と比較してハウジングの上面及び側面を開放する必要がないため、蓋部を小型化することができる。これにより、蓋部の開閉作業を容易にすることができる。【００２３】
また、前記アダプタ収容部は、前記アダプタの側面に当接し、前記アダプタの移動を規制する規制リブを備え、前記側面は、前記蓋部の内面から最も離間した面であることが好ましい。【００２４】
電気機器運搬時には、アダプタの蓋部から最も離間した側面が、もっとも不安定になるが、当該側面に規制リブを設けたことにより、アダプタを安定して収容することができる。これにより、アダプタが電気機器内部で移動して内部の部品が破損することを防止できる。【００２５】
前記アダプタ収容部は、前記アダプタ着脱方向に延び前記アダプタの着脱を案内する規制リブを備えることが好ましい。【００２６】
このような構成によると、規制リブがアダプタ着脱方向に延びているため、アダプタを安定してアダプタ着脱方向に沿って着脱することができる。これにより、容易にアダプタを着脱することができる。【００２７】
本発明の別の観点によると、バッテリ着脱方向に沿って着脱されるバッテリを収容可能なバッテリ収容部を有するハウジングと、前記バッテリ収容部を開閉可能な蓋部と、前記バッテリを前記バッテリ収容部に収容することにより稼働する出力部と、を備え、前記バッテリ着脱方向は、前記蓋部が閉じている時の前記蓋部に対して、斜めに傾いていることを特徴とする電気機器を提供している。【００２８】
このような構成によると、バッテリ着脱方向が蓋部に対して斜めに傾いているため、作業者は、容易にバッテリを着脱することができる。また、バッテリ着脱方向が蓋部に対して直交する場合と比較してハウジングの上面及び側面を開放する必要がないため、蓋部を小型化することができる。これにより、蓋部の開閉作業を容易にすることができる。【００２９】
本発明の別の観点によると、バッテリ着脱方向に沿って着脱されるバッテリを収容可能なバッテリ収容部を有するハウジングと、前記バッテリ収容部を開閉可能な蓋部と、前記バッテリを前記バッテリ収容部に収容することにより稼働する出力部と、を備えた電気機器であって、前記電気機器を地面に載置した状態で、前記バッテリ着脱方向は、前記地面に対して斜めに傾いていることを特徴とする電気機器を提供している。【００３０】
このような構成によると、バッテリ着脱方向が地面に対して斜めに傾いているため、作業者は、電気機器を地面に載置した状態で容易にバッテリを着脱することができる。また、バッテリ着脱方向が地面に対して直交する場合と比較してハウジングの上面及び側面を開放する必要がないため、蓋部を小型化することができる。これにより、蓋部の開閉作業を容易にすることができる。
【発明の効果】
【００３１】
本発明の電気機器によれば、開閉が容易で小型な蓋部を備えた電気機器を提供することができる。
【図面の簡単な説明】
【００３２】
【図１】本発明の第１の実施の形態によるポータブルラジオの正面図。
【図２】本発明の第１の実施の形態によるポータブルラジオの蓋部が開であってバッテリとアダプタとが装着されているときの背面斜視図。
【図３】本発明の第１の実施の形態によるポータブルラジオの蓋部が開であってバッテリとアダプタとが未装着のときの開口近傍の部分拡大図。
【図４】本発明の第１の実施の形態によるポータブルラジオの断面図。
【図５】本発明の第１の実施の形態によるポータブルラジオに着脱可能なアダプタであって、（Ａ）オーストラリア用ＡＣアダプタのコンセントプラグの正面図及び側面図、（Ｂ）イギリス用ＡＣアダプタコンセントプラグの正面図及び側面図、（Ｃ）ヨーロッパ用ＡＣアダプタのコンセントプラグの正面図及び側面図。
【図６】本発明の第２の実施の形態によるポータブルラジオの蓋部が開のときの斜視図。
【図７】従来のポータブルラジオの蓋部にアダプタを装着するときの斜視図。
【図８】従来のポータブルラジオの蓋部にアダプタが固定されたときの斜視図。
【発明を実施するための形態】
【００３３】
本発明の第１実施の形態による電気機器について図１乃至図５に基づき説明する。
【００３４】
図１に示すように、本発明の第１の実施の形態による電気機器の一例であるポータブルラジオ１は、ハウジング２と、フレームガード４と、操作部５と、により主に構成されている。以下の説明において、ポータブルラジオ１が地面Ｇに載置された状態の上方を上と定義し、逆を下と定義する。ポータブルラジオ１の操作部５が設けられている側（図１における紙面手前側）を前と定義し、逆を後と定義する。前方向からポータブルラジオ１を見た場合の右を右と定義し、逆方向を左と定義する。位置関係等に言及した場合、例えば、平行、直交、反対等のように言及した場合、完全に平行、直交、反対等である場合だけでなく、略平行、略直交、略反対等である場合を含むものとする。
【００３５】
ハウジング２は、図１乃至４に示すように、本体部２Ａと、蓋部２Ｂとから主に構成されている。本体部２Ａは略三角柱形状をなし、バッテリ６が着脱可能に収容されるバッテリ収容部７と、アダプタ８が着脱可能に収容されるアダプタ収容部９と、アダプタ８が接続されるアダプタ接続部２１と、アンテナ２２と、スピーカー２３と、機器収容部２４と、蓋部２Ｂと係合可能な係合部２５と、が設けられている。本体部２Ａの後面には、後上と前下とを結ぶ方向に貫通する開口２ａが形成されている。
【００３６】
蓋部２Ｂは、開口２ａを開閉可能であって、その下端部を中心に本体部２Ａに対して回動可能に設けられている。換言すると、蓋部２Ｂは、バッテリ収容部７及びアダプタ収容部９を開閉可能である。蓋部２Ｂの上端部であって、左右方向の略中央部には、係合部２５と係合可能な被係合部２Ｃが設けられている。蓋部２Ｂは、開口２ａを開放した開状態では、図２に示すように、後述のバッテリ着脱経路及びアダプタ着脱経路と干渉しない位置にある。蓋部２Ｂは、開口２ａを閉じた閉状態では、図４に示すように本体部２Ａの後面と略面一となる。
【００３７】
バッテリ６は、電動工具にも装着可能なバッテリであって、図示せぬバッテリ端子と、バッテリ収容部７と係合可能な図示せぬバッテリ被係合部とを備えている。
【００３８】
バッテリ６は、図２及び図４のバッテリ着脱方向Ａ１に沿ってバッテリ収容部７に着脱される。バッテリ着脱方向Ａ１は、図４に示すように、ポータブルラジオ１を地面Ｇに載置した状態で、地面Ｇに対して斜めに傾いている。また、バッテリ着脱方向Ａ１は、蓋部２Ｂの内面に対して斜めに傾いている。詳細には、バッテリ着脱方向Ａ１は、側面視において後上と前下とを結ぶ方向である。本発明における斜めに傾くとは、互いに交差するが直交しない場合をいう。
【００３９】
バッテリ収容部７は、図２及び図３に示すように、ポータブルラジオ１の後部に設けられていて、開口２ａを介して外部に露出している。バッテリ収容部７は、端子部７１と、前壁７２と、一対の側面壁７３と、底壁７４と、コード収容部７５と、を備えている。バッテリ収容部７は、側面視前下方向に窪んだ形状を成している。バッテリ６は、前壁７２と、一対の側面壁７３と、底壁７４と、により区画された空間に収容される。バッテリ６がバッテリ収容部７に収容された状態では、側面視において、蓋部２Ｂと地面Ｇとの角度よりも、バッテリ着脱方向Ａ１に直交する方向と地面Ｇとの角度のほうが小さい。バッテリ収容部７は、アダプタ８がアダプタ収容部９に着脱する際の軌跡と干渉しない位置に設けられている。
【００４０】
端子部７１は、前壁７２に設けられていて、複数の端子７１Ａと、バッテリ係合部７１Ｂと、を備えている。端子７１Ａは、図示せぬバッテリ端子と電気的に接続可能であって、バッテリ着脱方向Ａ１に平行に延びている。バッテリ係合部７１Ｂは、図示せぬバッテリ被係合部と係合可能であって、両者が係合することにより、バッテリ６がバッテリ収容部７に固定される。バッテリ６がバッテリ収容部７に着脱する際の軌跡が、本願発明のバッテリ着脱経路に相当する。
【００４１】
前壁７２はバッテリ着脱方向Ａ１と平行に延び、バッテリ６のバッテリ着脱方向Ａ１への着脱を案内している。詳細には、前壁７２は、側面視後上方向に延びている。
【００４２】
一対の側面壁７３は、左右方向に互いに離間して対向し、前壁７２の左右方向端部に接続している。側面壁７３は、バッテリ着脱方向Ａ１と平行に延びてバッテリ６の前壁７２と共にバッテリ６の着脱を案内している。一対の側面壁７３の左右方向の離間距離は、バッテリ６の左右方向の長さよりも僅かに大きい。底壁７４は、前壁７２の下端部及び一対の側面壁７３の下端部と接続していて、前壁７２と略直交している。
【００４３】
コード収容部７５は、底壁７４の後部に設けられていて、アダプタ８のコードを収容する空間である。コード収容部７５は、バッテリ６がバッテリ収容部７に装着された状態でコードを収容可能である。コード収容部７５は、バッテリ着脱経路に干渉しない位置に設けられているため、コードがバッテリ６着脱の妨げにならない。
【００４４】
アダプタ８は、図２及び図４のアダプタ着脱方向Ａ２に沿ってアダプタ収容部９に着脱される。つまり、第１の実施の形態では、バッテリ６とアダプタ８とは、側面視において同じ方向に着脱される。アダプタ着脱方向Ａ２は、図４に示すように、ポータブルラジオ１を地面Ｇに載置した状態で、地面Ｇに対して斜めに傾いている。また、アダプタ着脱方向Ａ２は、蓋部２Ｂの内面に対して斜めに傾いている。詳細には、アダプタ着脱方向Ａ２は、側面視において後上と前下とを結ぶ方向である。
【００４５】
アダプタ８は、本体８１と、外部電源に接続可能な電源接続部８２と、コード８３と、を備えている。本体８１には、上面８１Ａと、下面８１Ｂと、正面８１Ｃと、背面８１Ｄと、一対の側面８１Ｅとが規定されている。電源接続部８２は、背面８１Ｄから外方に延出していて、日本のＡＣアダプタのコンセントプラグ８２Ａと、コンセントプラグ８２Ａのベースとなるベース部８２Ｂと、を有している。なお、本実施の形態のアダプタ８は、この形状に限定されない。具体的には、図５Ａ乃至図５Ｃに示す形状であってもよい。
【００４６】
図５Ａに示すオーストラリア用のアダプタ１０８は、本体１８１と、外部電源に接続可能な電源接続部１８２と、コード１８３と、を備えている。電源接続部１８２は、オーストラリアのＡＣアダプタのコンセントプラグ１８２Ａと、コンセントプラグ１８２Ａのベースとなるベース部１８２Ｂと、を有している。
【００４７】
図５Ｂに示すイギリス用のアダプタ２０８は、本体２８１と、外部電源に接続可能な電源接続部２８２と、コード２８３と、を備えている。電源接続部２８２は、イギリスのＡＣアダプタのコンセントプラグ２８２Ａ１、２８２Ａ２と、コンセントプラグ２８２Ａ１、２８２Ａ２のベースとなるベース部２８２Ｂと、を有している。
【００４８】
図５Ｃに示すヨーロッパ用のアダプタ３０８は、本体３８１と、外部電源に接続可能な電源接続部３８２と、コード３８３と、を備えている。電源接続部３８２は、ヨーロッパのＡＣアダプタのコンセントプラグ３８２Ａと、コンセントプラグ３８２Ａのベースとなるベース部３８２Ｂと、を有している。それぞれの本体８１、１８１、２８１、３８１の形状は略同一であり、各電源接続部８２、１８２、２８２、３８２の形状が互いに異なっている。
【００４９】
アダプタ収容部９は、ポータブルラジオ１の後部に設けられていて、開口２ａを介して外部に露出している。アダプタ収容部９は、バッテリ６がバッテリ収容部７に着脱する際の軌跡と干渉しない位置に設けられている。アダプタ収容部９は、複数種類のアダプタ８、１０８、２０８、３０８を収容可能であって、図４に示すように、側面視前下方向に窪んだ形状を成し、バッテリ収容部７と左右方向に隣接するように並列配置される。ここでいう並列配置とは、垂直方向の位置が略一致した状態で隣接配置される場合をいう。
【００５０】
アダプタ収容部９は、図３及び図４に示すように、一対の上面規制リブ９１と、一対の背面規制リブ９２と、一対の規制壁９３と、支持面９４と、を有し、前下方向に窪んだ凹部９５が形成されている。アダプタ８がアダプタ収容部９に着脱する際の軌跡が、本願発明のアダプタ着脱経路に相当する。
【００５１】
上面規制リブ９１は、アダプタ収容部９の上部に設けられていて、本体部２Ａから後方に向けて突出している。上面規制リブ９１は、左右方向に互いに離間していて、側面視略三角形状をなす。上面規制リブ９１の後面がアダプタ８の上面８１Ａに当接することにより、アダプタ８の上前方向への移動が規制される。図４に示すように、上面規制リブ９１は、蓋部２Ｂの内面からの距離が最も離間した側面である上面８１Ａに当接している。アダプタ８の上面８１Ａ、下面８１Ｂ、側面８１Ｅのうち、蓋部２Ｂとの距離が最も離間する上面８１Ａが、アダプタ収容部９内で動きやすくなる。本実施の形態では、最も動きやすい上面８１Ａを上面規制リブ９１によって規制することで、アダプタ８をアダプタ収容部９内で安定的に保持することができる。アダプタ８がアダプタ収容部９に収容された状態では、側面視において、蓋部２Ｂと地面Ｇとの角度よりも、本体８１の長手方向（アダプタ着脱方向Ａ２に直交する方向）と地面Ｇとの角度のほうが小さい。
【００５２】
背面規制リブ９２は、凹部９５の内面の左右方向両端部に位置していて、側面視略矩形をなす。背面規制リブ９２の上面とアダプタ８の背面８１Ｄとが当接することにより、アダプタ８の前下方向への移動が規制される。背面規制リブ９２は、凹部９５の内面から後下方向に向けて突出している。背面規制リブ９２の突出量及び左右方向の離間距離は、各電源接続部８２、１８２、２８２、３８２と干渉しないように構成されている。背面規制リブ９２の上面と支持面９４とは、互いに面一である。
【００５３】
規制壁９３は、上面視略Ｌ字状をなし、支持面９４から上後方向に向かって突出している。規制壁９３の内面とアダプタ８の下面８１Ｂ及び側面８１Ｅとが当接することにより、アダプタ８の左右方向及び後下方向の移動が規制される。支持面９４は、底壁７４と略平行であって、後下方向に窪んだ窪み９４ａが形成されている。窪み９４ａは、ベース部２８２Ｂの下方に突出する部分が収容可能な程度に窪んでいる。上面規制リブ９１、背面規制リブ９２、規制壁９３は、本願発明の規制リブに相当する。
【００５４】
凹部９５は、支持面９４から前下方向に窪んでいる。凹部９５は、各コンセントプラグ８２Ａ、１８２Ａ、２８２Ａ１、２８２Ａ２、３８２Ａが収容可能な程度の深さを有している。図４に示すように、凹部９５の上前方向から後下方向を結んだ長さは、各ベース部８２Ｂ、１８２Ｂ、２８２Ｂ、３８２Ｂを収容可能な構成となっている。
【００５５】
図２及び図３に示すように、アダプタ接続部２１は、開口２ａの右側に隣接するように設けられていて、コード８３の先端部を接続可能である。アダプタ接続部２１には、被覆部２１Ａが設けられていて、コード８３の先端部が接続される端子は被覆部２１Ａに覆われている。
【００５６】
アンテナ２２は、本体部２Ａに自在継手を介して接続されていて、作業者が電波の状況に応じて所望の方向に延出させることができる。
【００５７】
スピーカー２３は、本体部２Ａの左右方向端面にそれぞれ設けられている。スピーカー２３は、本願発明の出力部に相当する。
【００５８】
機器収容部２４は、半透明なカバー２４Ａに覆われていて、内部に複数種類の音楽再生機器を接続可能である。音楽再生機器を接続し操作部５を操作することにより、スピーカー２３から音楽が再生される。
【００５９】
フレームガード４は、ハウジング２の周囲を覆うように設けられていて、ポータブルラジオ１を外部の衝撃から保護する。ハウジング２は、フレームガード４の内部に配置されている。フレームガード４には、作業者が運搬時に把持するハンドル部４１が設けられている。フレームガード４とハウジング２とを接続する部分には、緩衝部４２が設けられていて、フレームガード４が受けた衝撃がハウジング２に伝わることを低減している。
【００６０】
操作部５は、本体部２Ａの前面に設けられていて、チューニング、音量調整、再生、停止等の複数の操作ボタンを備えている。
【００６１】
作業者は、ポータブルラジオ１をコードレスで稼働したい場合には、蓋部２Ｂを開放してバッテリ着脱方向Ａ１に沿ってバッテリ６をバッテリ収容部７に装着することにより、バッテリ６から電源が供給される。このとき、アダプタ８をアダプタ収容部９に収容し、コード８３をコード収容部７５に収容することにより、バッテリ６を装着した状態でアダプタ８をポータブルラジオ１内部に保管することができる。その後、蓋部２Ｂを閉めることで、水や粉塵等からバッテリ６及びアダプタ８を保護することができる。
【００６２】
バッテリ６をバッテリ収容部７から取り出すときは、バッテリ係合部７１Ｂとバッテリ６のバッテリ被係合部との係合を解除して、バッテリ着脱方向Ａ１に沿って引き出す。
【００６３】
ポータブルラジオ１を外部電源で稼働したい場合には、蓋部２Ｂを開放してアダプタ着脱方向Ａ２に沿ってアダプタ８を取出す。コード８３の先端部をアダプタ接続部２１の端子に接続し、コンセントプラグ８２Ａを外部電源に接続することにより、ポータブルラジオ１に電源が供給される。
【００６４】
このような構成によると、アダプタ収容部９が蓋部２Ｂではなく本体部２Ａに設けられているため、蓋部２Ｂが軽量化され、容易に蓋部２Ｂを開閉することができる。また、本体部２Ａは、アダプタ収容部９と、アダプタ収容部９とは異なる位置に設けられたバッテリ収容部７とを有しているため、アダプタ８とバッテリ６とを同時にハウジング２に収容することができる。これにより、バッテリ６でスピーカー２３を稼働しつつアダプタ８を収容できる。さらに、蓋部２Ｂを閉じることにより、バッテリ６を本体部２Ａに収容した状態でアダプタ８を水や粉塵等から守ることができる。
【００６５】
このような構成によると、アダプタ収容部９とバッテリ収容部７とは並列配置されているため、バッテリ６の着脱にアダプタ８が干渉しない。また、アダプタ８の着脱にもバッテリ６が干渉しない。これにより、容易にバッテリ６及びアダプタ８を着脱することができる。
【００６６】
このような構成によると、アダプタ収容部９はバッテリ着脱経路と干渉しない位置に設けられているため、バッテリ６の着脱時にアダプタ８と干渉しない。これにより、容易にバッテリ６をバッテリ収容部７に着脱することができる。
【００６７】
このような構成によると、バッテリ収容部７はアダプタ着脱経路と干渉しない位置に設けられているため、アダプタ８着脱時にバッテリ６と干渉しない。これにより、容易にアダプタ８をアダプタ収容部９に着脱することができる。
【００６８】
このような構成によると、１つのアダプタ収容部９で複数の種類のアダプタを収容することができる。
【００６９】
このような構成によると、アダプタ着脱方向Ａ２が蓋部２Ｂに対して斜めに傾いているため、作業者は、容易にアダプタ８を着脱することができる。また、アダプタ着脱方向が蓋部に対して直交する場合と比較してハウジングの上面及び側面を開放する必要がないため、蓋部２Ｂを小型化することができる。これにより、蓋部２Ｂの開閉作業を容易にすることができる。
【００７０】
このような構成によると、アダプタ着脱方向Ａ２が地面Ｇに対して斜めに傾いているため、作業者は、ポータブルラジオ１を地面Ｇに載置した状態で容易にアダプタ８を着脱することができる。また、アダプタ着脱方向が地面に対して直交する場合と比較してハウジングの上面及び側面を開放する必要がないため、蓋部２Ｂを小型化することができる。これにより、蓋部２Ｂの開閉作業を容易にすることができる。
【００７１】
ポータブルラジオ１運搬時には、アダプタ８の蓋部２Ｂから最も離間した側面である上面８１Ａが、もっとも不安定になるが、上面８１Ａに上面規制リブ９１を設けたことにより、アダプタ８を安定して収容することができる。これにより、アダプタ８がポータブルラジオ１内部で移動して内部の部品が破損することを防止できる。
【００７２】
このような構成によると、上面規制リブ９１、背面規制リブ９２、及び規制壁９３がアダプタ着脱Ａ２方向に延びているため、アダプタ８を安定してアダプタ着脱方向Ａ２に沿って着脱することができる。これにより、容易にアダプタ８を着脱することができる。
【００７３】
このような構成によると、バッテリ着脱方向Ａ１が蓋部２Ｂに対して斜めに傾いているため、作業者は、容易にバッテリ６を着脱することができる。また、バッテリ着脱方向が蓋部に対して直交する場合と比較してハウジングの上面及び側面を開放する必要がないため、蓋部２Ｂを小型化することができる。これにより、蓋部２Ｂの開閉作業を容易にすることができる。
【００７４】
このような構成によると、バッテリ着脱方向Ａ１が地面Ｇに対して斜めに傾いているため、作業者は、ポータブルラジオ１を地面Ｇに載置した状態で容易にバッテリ６を着脱することができる。また、バッテリ着脱方向が地面に対して直交する場合と比較してハウジングの上面及び側面を開放する必要がないため、蓋部２Ｂを小型化することができる。これにより、蓋部２Ｂの開閉作業を容易にすることができる。
【００７５】
次に、図６に基づいて本発明の第２の実施の形態について説明する。第１の実施の形態と同一の構成は、同一の符号を付し説明を省略する。
【００７６】
第２の実施の形態のポータブルラジオ２０１は、外郭となるハウジング２０２を備えている。ハウジング２０２は、開口２０２ａが形成された本体部２０２Ａと、本体部２０２Ａに対して開口２０２ａを開閉可能な蓋部２０２Ｂと、を主に備えている。
【００７７】
本体部２０２Ａには、バッテリ６を収容可能なバッテリ収容部２０７と、アダプタ８を収容可能なアダプタ収容部２０９と、が設けられている。バッテリ収容部２０７は、アダプタ収容部２０９の上方に位置していて、上面視において、両者の位置は略一致している。
【００７８】
バッテリ６は、バッテリ着脱方向Ａ３に沿って着脱可能であり、第２の実施の形態のバッテリ着脱方向Ａ３は、上下方向である。アダプタ８は、アダプタ着脱方向Ａ４に沿って着脱可能であり、第２の実施の形態のアダプタ着脱方向Ａ４は、前後方向である。
【００７９】
このような構成によると、バッテリ収容部２０７はアダプタ収容部２０９よりも上方に位置しているため、バッテリ６の着脱にアダプタ８が干渉しない。これにより、容易にバッテリ６をバッテリ収容部２０７に着脱することができる。
【００８０】
本発明による電気機器は、上述した実施の形態に限定されず、特許請求の範囲に記載された発明の要旨の範囲内で種々の変更が可能である。
【００８１】
上述の実施の形態では、アダプタ収容部９は、日本用のアダプタ８、オーストラリア用のアダプタ１０８、イギリス用のアダプタ２０８、ヨーロッパ用のアダプタ３０８を例示したが、本実施の形態のアダプタ収容部９は、これ以外の国のＡＣアダプタの収容可能である。
【００８２】
上述の実施の形態では、電気機器の一例として、ポータブルラジオを採用したが、これに限定されない。例えば、電気機器として、ランタン、ライト、ファン、ヒーター、スピーカー等であっても良い。
【００８３】
第１の実施の形態では、バッテリ収容部７とアダプタ収容部９とが左右方向に並列配置されていたが、例えば、前後方向に並列配置されていてもよい。
【００８４】
第２の実施の形態のアダプタ８のアダプタ着脱方向Ａ４は前後方向であったが、上下方向であっても良い。また、アダプタ８とハウジング２０２とが左右方向において干渉しないために、ハウジング２０２と蓋部２０２Ｂとの接続部分の形状を変更して、アダプタ着脱方向Ａ４を左右方向としても良い。
【符号の説明】
【００８５】
１、２０１…ポータブルラジオ，２、２０２…ハウジング，３、２０３…蓋部，４…フレームガード，５…操作部，６…バッテリ，７、２０７…バッテリ収容部，８…アダプタ  ９、２０９…アダプタ収容部，２３…スピーカー，９１…上面規制リブ，９２…正面規制リブ，９３…規制壁，Ａ１、Ａ３…バッテリ着脱方向，Ａ２、Ａ４…アダプタ着脱方向
【図１】
2016067807.tif 000003
【図２】
2016067807.tif 000004
【図３】
2016067807.tif 000005
【図４】
2016067807.tif 000006
【図５】
2016067807.tif 000007
【図６】
2016067807.tif 000008
【図７】
2016067807.tif 000009
【図８】
2016067807.tif 000010
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
外部電源に接続可能なアダプタを収容可能なアダプタ収容部と、バッテリを収容可能であって前記アダプタ収容部とは異なる位置に設けられたバッテリ収容部と、を有する本体部と、前記アダプタ収容部及び前記バッテリ収容部を開閉可能な蓋部と、を有するハウジングと、
前記ハウジングに設けられ、前記アダプタを接続可能なアダプタ接続部と、
前記バッテリを前記バッテリ収容部に収容することにより、又は前記アダプタを前記外部電源及び前記アダプタ接続部に接続することにより稼働する出力部と、を備え、
前記ハウジングは、側面視で略三角形状をなし、
前記出力部を稼働するために操作される操作部を前記ハウジングの前面に設けたことを特徴とする電気機器。
【請求項２】
前記アダプタ収容部と前記バッテリ収容部とは、並列配置されていることを特徴とする請求項１に記載の電気機器。
【請求項３】
前記アダプタ収容部と前記バッテリ収容部とは、上下に配置されていることを特徴とする請求項１に記載の電気機器。
【請求項４】
前記バッテリ収容部は、前記アダプタ収容部よりも上方に位置していることを特徴とする請求項３に記載の電気機器。
【請求項５】
前記バッテリは、前記バッテリ収容部に対してバッテリ着脱経路に沿って着脱され、前記アダプタ収容部は、前記バッテリ着脱経路と干渉しない位置に設けられていることを特徴とする請求項１から４のいずれか１項に記載の電気機器。
【請求項６】
前記アダプタは、前記アダプタ収容部に対してアダプタ着脱経路に沿って着脱され、前記バッテリ収容部は、前記アダプタ着脱経路と干渉しない位置に設けられていることを特徴とする請求項１から５のいずれか１項に記載の電気機器。
【請求項７】
前記アダプタ収容部は、前記アダプタとは異なる種類の別のアダプタを収容可能であることを特徴とする請求項１から６のいずれか１項に記載の電気機器。
【請求項８】
外部電源に接続可能であってアダプタ着脱方向に沿って着脱されるアダプタを収容可能なアダプタ収容部を有するハウジングと、
前記アダプタ収容部を開閉可能な蓋部と、
前記アダプタを前記外部電源に接続することにより稼働する出力部と、を備え、
前記ハウジングは、側面視で略三角形状をなし、
前記出力部を稼働するために操作される操作部が前記ハウジングの前面に設けられ、
前記アダプタ着脱方向は、前記蓋部が閉じている時の前記蓋部に対して、斜めに傾いていることを特徴とする電気機器。
【請求項９】
外部電源に接続可能であってアダプタ着脱方向に沿って着脱されるアダプタを収容可能なアダプタ収容部を有するハウジングと、
前記アダプタ収容部を開閉可能な蓋部と、
前記アダプタを前記外部電源に接続することにより稼働する出力部と、を備えた電気機器であって、
前記ハウジングは、側面視で略三角形状をなし、
前記出力部を稼働するために操作される操作部が前記ハウジングの前面に設けられ、
前記電気機器を地面に載置した状態で、前記アダプタ着脱方向は、前記地面に対して斜めに傾いていることを特徴とする電気機器。
【請求項１０】
前記アダプタ収容部は、前記アダプタの側面に当接し、前記アダプタの移動を規制する規制リブを備え、前記側面は、前記蓋部の内面から最も離間した面であることを特徴とする請求項８又は９に記載の電気機器。
【請求項１１】
前記アダプタ収容部は、前記アダプタ着脱方向に延び前記アダプタの着脱を案内する規制リブを備えることを特徴とする請求項８又は９に記載の電気機器。
【請求項１２】
バッテリ着脱方向に沿って着脱されるバッテリを収容可能なバッテリ収容部を有するハウジングと、
前記バッテリ収容部を開閉可能な蓋部と、
前記バッテリを前記バッテリ収容部に収容することにより稼働する出力部と、を備え、
前記ハウジングは、側面視で略三角形状をなし、
前記出力部を稼働するために操作される操作部が前記ハウジングの前面に設けられ、
前記バッテリ着脱方向は、前記蓋部が閉じている時の前記蓋部に対して、斜めに傾いていることを特徴とする電気機器。
【請求項１３】
バッテリ着脱方向に沿って着脱されるバッテリを収容可能なバッテリ収容部を有するハウジングと、
前記バッテリ収容部を開閉可能な蓋部と、
前記バッテリを前記バッテリ収容部に収容することにより稼働する出力部と、を備えた電気機器であって、
前記ハウジングは、側面視で略三角形状をなし、
前記出力部を稼働するために操作される操作部が前記ハウジングの前面に設けられ、
前記電気機器を地面に載置した状態で、前記バッテリ着脱方向は、前記地面に対して斜めに傾いていることを特徴とする電気機器。
【手続補正２】
【補正対象書類名】明細書
【補正対象項目名】０００７
【補正方法】変更
【補正の内容】
【０００７】
上記課題を解決するために本発明は、外部電源に接続可能なアダプタを収容可能なアダプタ収容部と、バッテリを収容可能であって前記アダプタ収容部とは異なる位置に設けられたバッテリ収容部と、を有する本体部と、前記アダプタ収容部及び前記バッテリ収容部を開閉可能な蓋部と、を有するハウジングと、前記ハウジングに設けられ、前記アダプタを接続可能なアダプタ接続部と、前記バッテリを前記バッテリ収容部に収容することにより、又は前記アダプタを前記外部電源及び前記アダプタ接続部に接続することにより稼働する出力部と、を備え、前記ハウジングは、側面視で略三角形状をなし、前記出力部を稼働するために操作される操作部を前記ハウジングの前面に設けたことを特徴とする電気機器を提供する。
【手続補正３】
【補正対象書類名】明細書
【補正対象項目名】００１３
【補正方法】変更
【補正の内容】
【００１３】
また、前記バッテリは、前記バッテリ収容部に対してバッテリ着脱経路に沿って着脱され、前記アダプタ収容部は、前記バッテリ着脱経路と干渉しない位置に設けられていることが好ましい。
【手続補正４】
【補正対象書類名】明細書
【補正対象項目名】００１５
【補正方法】変更
【補正の内容】
【００１５】
また、前記アダプタは、前記アダプタ収容部に対してアダプタ着脱経路に沿って着脱され、前記バッテリ収容部は、前記アダプタ着脱経路と干渉しない位置に設けられていることが好ましい。
【手続補正５】
【補正対象書類名】明細書
【補正対象項目名】００１７
【補正方法】変更
【補正の内容】
【００１７】
また、前記アダプタ収容部は、複数の種類の前記アダプタを収容可能であることが好ましい。また、前記アダプタ収容部は、前記アダプタとは異なる種類の別のアダプタを収容可能であることが好ましい。
【手続補正６】
【補正対象書類名】明細書
【補正対象項目名】００１９
【補正方法】変更
【補正の内容】
【００１９】
本発明の別の観点によると、外部電源に接続可能であってアダプタ着脱方向に沿って着脱されるアダプタを収容可能なアダプタ収容部を有するハウジングと、前記アダプタ収容部を開閉可能な蓋部と、前記アダプタを前記外部電源に接続することにより稼働する出力部と、を備え、前記ハウジングは、側面視で略三角形状をなし、前記出力部を稼働するために操作される操作部が前記ハウジングの前面に設けられ、前記アダプタ着脱方向は、前記蓋部が閉じている時の前記蓋部に対して、斜めに傾いていることを特徴とする電気機器を提供している。
【手続補正７】
【補正対象書類名】明細書
【補正対象項目名】００２１
【補正方法】変更
【補正の内容】
【００２１】
本発明の別の観点によると、外部電源に接続可能であってアダプタ着脱方向に沿って着脱されるアダプタを収容可能なアダプタ収容部を有するハウジングと、前記アダプタ収容部を開閉可能な蓋部と、前記アダプタを前記外部電源に接続することにより稼働する出力部と、を備えた電気機器であって、前記ハウジングは、側面視で略三角形状をなし、前記出力部を稼働するために操作される操作部が前記ハウジングの前面に設けられ、前記電気機器を地面に載置した状態で、前記アダプタ着脱方向は、前記地面に対して斜めに傾いていること特徴とする電気機器を提供している。
【手続補正８】
【補正対象書類名】明細書
【補正対象項目名】００２７
【補正方法】変更
【補正の内容】
【００２７】
本発明の別の観点によると、バッテリ着脱方向に沿って着脱されるバッテリを収容可能なバッテリ収容部を有するハウジングと、前記バッテリ収容部を開閉可能な蓋部と、前記バッテリを前記バッテリ収容部に収容することにより稼働する出力部と、を備え、前記ハウジングは、側面視で略三角形状をなし、前記出力部を稼働するために操作される操作部が前記ハウジングの前面に設けられ、前記バッテリ着脱方向は、前記蓋部が閉じている時の前記蓋部に対して、斜めに傾いていることを特徴とする電気機器を提供している。
【手続補正９】
【補正対象書類名】明細書
【補正対象項目名】００２９
【補正方法】変更
【補正の内容】
【００２９】
本発明の別の観点によると、バッテリ着脱方向に沿って着脱されるバッテリを収容可能なバッテリ収容部を有するハウジングと、前記バッテリ収容部を開閉可能な蓋部と、前記バッテリを前記バッテリ収容部に収容することにより稼働する出力部と、を備えた電気機器であって、前記ハウジングは、側面視で略三角形状をなし、前記出力部を稼働するために操作される操作部が前記ハウジングの前面に設けられ、前記電気機器を地面に載置した状態で、前記バッテリ着脱方向は、前記地面に対して斜めに傾いていることを特徴とする電気機器を提供している。
【国際調査報告】
2016067807.tif 000011
2016067807.tif 000012
2016067807.tif 000013
2016067807.tif 000014
2016067807.tif 000015
2016067807.tif 000016
2016067807.tif 000017
2016067807.tif 000018
2016067807.tif 000019
2016067807.tif 000020
2016067807.tif 000021
2016067807.tif 000022